(57)【要約】【課題】  第１放送提示単位のイベントの視聴を継続しながら、第２放送提示単位のＥＰＧを閲覧することができ、かつ、ユーザが直感的に理解できる操作でＥＰＧを更新できる放送受信装置を提供する。【解決手段】  デジタル放送テレビ１００は、受信した番組配列情報を記憶する番組配列情報記憶部５と、放送提示単位別の複数のＥＰＧを作成するＥＰＧ作成部１０と、電ＥＰＧをイベントの映像に重畳表示させる表示パネル７とを備え、ＥＰＧ作成部１０は、第１放送提示単位のイベントの映像表示中に第２放送提示単位のＥＰＧを表示させる指示をユーザから受けると、上記映像表示を継続しながら番組配列情報記憶部５の記憶内容に基づいて第２放送提示単位のＥＰＧを表示させ、その後、カーソルをサービス表示部からイベント表示部へ移動させる指示をユーザから受けると、第２放送提示単位のＥＰＧの表示情報を更新させる。【選択図】  図１
2006238049.tif 000002
【特許請求の範囲】
【請求項１】
イベント情報の配信方式が互いに異なる複数の放送提示単位に属する複数のサービスで放送されるイベントに関するイベント情報およびコンテンツデータを含む複数の放送信号を切り替えながら受信する受信部と、
上記受信部で受信されたイベント情報を記憶する記憶部と、
上記記憶部に記憶されたイベント情報に基づき、上記各放送提示単位に属する複数のサービスの各々で放送されるイベントの一覧を示す放送提示単位別の複数の電子番組ガイドを切り替えながら作成する電子番組ガイド作成部と、
上記電子番組ガイド作成部で作成された電子番組ガイドを表示させると共に、受信しているコンテンツデータに応じた映像および／または音声を出力するための出力部とを備える放送受信装置において、
上記電子番組ガイド作成部は、
受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の出力を継続させながら、上記記憶部の記憶内容に基づいて第２の放送提示単位の電子番組ガイドを作成して出力部で表示させ、
その後、選択対象をユーザが指示するためのカーソルをイベントの一覧上の位置へ他の位置から移動させる第２の指示をユーザから受けると、第２の放送提示単位に属するサービスの放送信号を受信させるように受信部を制御することで、上記記憶部における、第２の放送提示単位に関する記憶内容を更新させ、更新された上記記憶部の記憶内容に基づいて第２の放送提示単位の電子番組ガイドを作成して出力部で表示させることを特徴とする放送受信装置。
【請求項２】
上記電子番組ガイド作成部は、イベントの一覧に加えて、上記各放送提示単位に属する視聴可能なサービスの一覧を示す電子番組ガイドを作成するものであることを特徴とする請求項１記載の放送受信装置。
【請求項３】
上記電子番組ガイド作成部は、上記第１の指示をユーザから受けたときには、カーソルをサービスの一覧上に表示させるものであり、
上記第２の指示は、カーソルをサービスの一覧上からイベントの一覧上に移動させる指示であることを特徴とする請求項２記載の放送受信装置。
【請求項４】
上記電子番組ガイド作成部は、それ自体が第１の放送提示単位の電子番組ガイドを作成しており、かつ、受信したコンテンツデータに応じた映像および／または音声が上記出力部から出力されているときに、上記第１の指示をユーザから受けると、上記記憶部の記憶内容に基づいて第２の放送提示単位の電子番組ガイドを作成し、作成された第２の放送提示単位の電子番組ガイドを第１の放送提示単位の電子番組ガイドに代えて出力部で表示させるようになっていることを特徴とする請求項１記載の放送受信装置。
【請求項５】
イベント情報の配信方式が互いに異なる複数の放送提示単位に属する複数のサービスで放送されるイベントに関するイベント情報およびコンテンツデータを含む複数の放送信号を切り替えながら受信する受信部と、
上記受信部で受信されたイベント情報を記憶する記憶部と、
受信しているコンテンツデータに応じた映像および／または音声を出力するための出力部とを備える放送受信装置において、
上記記憶部に記憶されたイベント情報に基づき、上記各放送提示単位に属する複数のサービスの各々で放送されるイベントの一覧を示す放送提示単位別の複数の電子番組ガイドの中から何れかを選択して表示する電子番組ガイドの表示方法であって、
受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の出力を継続しながら、上記記憶部の記憶内容に基づいて第２の放送提示単位の電子番組ガイドを表示し、
その後、選択対象をユーザが指示するためのカーソルをイベントの一覧上の位置へ他の位置から移動させる第２の指示をユーザから受けると、第２の放送提示単位に属するサービスの放送信号を受信し、上記記憶部における、第２の放送提示単位に関する記憶内容を更新し、更新した上記記憶部の記憶内容に基づいて第２の放送提示単位の電子番組ガイドを表示することを特徴とする電子番組ガイドの表示方法。
【請求項６】
イベント情報の配信方式が互いに異なる複数の放送提示単位に属する複数のサービスで放送されるイベントに関するイベント情報およびコンテンツデータを含む複数の放送信号を切り替えながら受信する受信部と、
上記受信部で受信されたイベント情報を記憶する記憶部と、
上記電子番組ガイド作成部で作成された電子番組ガイドを表示させると共に、受信しているコンテンツデータに応じた映像および／または音声を出力するための出力部とを備える放送受信装置において、
上記記憶部に記憶されたイベント情報に基づき、上記各放送提示単位に属する複数のサービスの各々で放送されるイベントの一覧を示す放送提示単位別の複数の電子番組ガイドの中から何れかを選択して出力部に表示させる処理をコンピュータに実行させるためのプログラムであって、
受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の上記出力部からの出力を継続させながら、上記記憶部の記憶内容に基づいて第２の放送提示単位の電子番組ガイドを表示させるステップと、
その後、選択対象をユーザが指示するためのカーソルをイベントの一覧上の位置へ他の位置から移動させる第２の指示をユーザから受けると、第２の放送提示単位に属するサービスの放送信号を受信部で受信させ、上記記憶部における、第２の放送提示単位に関する記憶内容を更新させ、更新された上記記憶部の記憶内容に基づいて第２の放送提示単位の電子番組ガイドを出力部に表示させるステップとを、コンピュータに実行させるためのプログラム。
【請求項７】
請求項６記載のプログラムを記録したコンピュータ読み取り可能な記録媒体。
【発明の詳細な説明】
【技術分野】
【０００１】
本発明は、複数のサービス（チャンネル）で放送されるイベント（番組）に関するイベント情報およびコンテンツデータを含む放送信号（特にデジタル放送信号）を受信し、受信したコンテンツデータに応じた映像および／または音声を出力しながら、受信したイベント情報に基づき放送提示単位別の複数の電子番組ガイドを表示することが可能な放送受信装置、および該放送受信装置における電子番組ガイドの表示方法、プログラム、記録媒体に関するものである。
【背景技術】
【０００２】
近年、テレビジョン放送では、ＣＳ（通信衛星）放送，ＢＳ（放送衛星）放送を初め、地上波放送においても、デジタル化が進められている。ＣＳデジタル放送，ＢＳデジタル放送、地上波デジタルテレビジョン放送などの複数種類のデジタル放送において、放送イベントそのものを構成する映像情報や音声情報（コンテンツデータ）と共に、例えば、イベント名、イベントの放送日時、イベントの内容、イベントの出演者等のようなイベント情報（上記放送イベントに関する情報）が多重化を含むＳＩ（Service Information）もデジタル放送信号に含められて伝送される。
【０００３】
このようなＳＩを含むデジタル放送信号を受信する放送受信装置は、上記ＳＩを利用して、視聴者がイベント選択に利用しやすいインターフェイスとして、電子番組ガイド（Electronic Program Guide：以下、「ＥＰＧ」と称す）を構築して画面に表示させる。この、ＥＰＧの利用法として、例えば、ユーザによりＥＰＧの画面上で希望するイベントが選択され、選択したイベントの表示や選択したイベントの録画予約を行う方法が知られている。
【０００４】
さらに、ＣＳデジタル放送、ＢＳデジタル放送、および地上波デジタルテレビジョン放送で放送されるデジタル放送信号を受信し、受信したデジタル放送信号に応じた映像および／または音声を出力しながら、受信したイベント情報に基づき、ＣＳデジタル放送の第１ネットワーク（以下、「ＣＳ１ネットワーク」あるいは「ＣＳ１」と称する）、ＣＳデジタル放送の第２ネットワーク（以下、「ＣＳ２ネットワーク」あるいは「ＣＳ２」と称する）、ＢＳデジタル放送、および地上波デジタルテレビジョン放送のそれぞれに関するＥＰＧを切り替えて表示することが可能なデジタル放送受信装置が知られている。
【０００５】
例えば、出願人が本願出願時に販売している液晶テレビ「ＡＱＵＯＳ  Ｇシリーズ」（例えば２００４年９月１日発売の「ＬＣ−３７ＧＤ３」および「ＬＣ−３７ＧＤ４」）では、ＣＳデジタル放送、ＢＳデジタル放送、および地上波デジタルテレビジョン放送で放送されるデジタル放送信号を受信する機能を備え、受信したデジタル放送信号に応じた映像に対してＥＰＧを重畳させて表示することができ、かつ、ＣＳ１ネットワーク、ＣＳ２ネットワーク、ＢＳデジタル放送、および地上波デジタルテレビジョン放送の４つの放送提示単位に関するＥＰＧを互いに切り替えることができるようになっている。
【０００６】
また、特許文献１には、「番組（イベント）を視聴したまま他ネットワークの番組情報を参照したりすることは不可能である。」という課題を解決するために、伝送されるストリームから番組情報の抽出を行い、該番組情報から表示および検索に用いる最低限の情報を抽出して簡約番組情報を構成し、前記番組情報および前記簡約番組情報に基づいて電子番組ガイド機能を提供する放送受信装置が記載されている。
【０００７】
上記構成によれば、番組情報が取得できない状況にあっても、既に蓄積されている番組情報または簡約番組情報を参照して、電子番組ガイドの機能を提供することができる。また、特定のストリームを受信しなければ得られない情報を、視聴中のチャンネルを選局したまま参照することが可能である。したがって、どの衛星またはストリームを受信している状態であっても、番組表などを構成するための最小限の簡約番組情報は端末の記憶手段の中に格納されているので、利用者が選択したチャンネルを選局したままで、番組表などの提示を行うことができる。
【０００８】
また、上記構成によれば、受信していないネットワークについても、簡約番組情報が存在しているので不完全ながら番組表を提示することができる。そして、利用者が番組情報を利用した電子番組ガイドの機能を呼び出した時には、あらかじめ取得していた番組情報を利用して、受信ネットワークを切換ずに、受信中のネットワーク以外の情報を受信中のネットワークの情報と同等に参照することが可能になる。
【０００９】
さらに、特許文献１の放送受信装置では、受信していないネットワークについて不完全ながら番組表を提示した状態で、利用者が簡約番組情報によって表示されている番組を視聴・予約または詳細情報を取得する目的で選択した場合には、必要な番組情報を送信しているネットワークおよびストリームを選局するようになっている。
【特許文献１】特開２００１−２１１４００号公報（２００１年８月３日公開；段落［００９２］〜［０１００］等）
【発明の開示】
【発明が解決しようとする課題】
【００１０】
しかしながら、上記液晶テレビ「ＡＱＵＯＳ  Ｇシリーズ」では、現在視聴している放送イベントを放送しているサービスが属する放送提示単位のＥＰＧの表示中に、他の放送提示単位のＥＰＧを表示させる指示をユーザが入力すると、他の放送提示単位のＥＰＧを表示すると共に、その他の放送提示単位の１つのサービス（例えばプロモーションチャンネル）を選局（同調）してその他の放送提示単位のイベント情報を取得する動作を行うようになっている。このように、上記従来の放送受信装置では、他の放送提示単位のサービスを選局する動作を行うため、他の放送提示単位のＥＰＧを表示するときに、他の放送提示単位のＥＰＧを表示する直前まで視聴していたイベントの映像および音声が消えてしまう（画面が黒くなり、音がミュートされる）。特に、他の放送ネットワークのＥＰＧをほんの短い時間だけ閲覧したい場合にも視聴していたイベントの映像や音声が途切れてしまう。そのため、使い勝手が悪かった。
【００１１】
また、特許文献１の構成では、不完全な番組表しか得られない場合に、番組の詳細情報を見るための操作、または番組の視聴・予約処理を行うための操作をユーザが行うと、ネットワークの切換を行うなどして、必要な番組情報を取得するようになっている。なお、番組の詳細情報とは、ＥＰＧにまず表示される番組名などの番組情報よりも、さらに詳細な情報、例えば、ジャンル、二重音声であるか否か、ステレオ音声であるか否かなどの情報である。また、番組の詳細情報を見るための操作、および番組の視聴・予約処理を行うための操作は何れも、デジタル放送受信装置の仕様によって異なるものの、典型的には、ＥＰＧ画面上でリモートコントローラ（以下、「リモコン」と略記する）を用いて番組を選択して所定のキーを押す操作である。
【００１２】
しかしながら、特許文献１の構成では、不完全な番組表しか得られない場合には、ユーザが、必要な番組情報を取得するために、番組の詳細情報を見るための操作、または番組の視聴・予約処理を行うための操作を行わなければならない。
【００１３】
番組の詳細情報を見るための操作や、番組の視聴・予約処理を行うための操作は、ユーザが単に番組表を閲覧する（番組の詳細情報を見たり、番組の視聴・予約処理を行ったりしない）ときには行わない操作である。そのため、ユーザは、操作方法を知らなければ、必要な番組情報を取得するためにどのような操作を行えばよいかを直感的に理解することができない。それゆえ、ユーザは、取扱説明書などを見ない限り、必要な番組情報を取得することができない。すなわち、ユーザは、番組表に抜けている番組があったときに、何らかの操作を行えば抜けている部分が追加されるのではないかと考えて、通常の番組表の閲覧に通常用いる各種のキー操作を行ったとしても、抜けている部分の番組情報を取得することができない。そのため、操作方法が取扱説明書などに書いてあったにしても、よく分かっていない初心者は、とまどうことになる。
【００１４】
また、特許文献１の構成では、必要な番組情報を取得する操作を行うと、通常の番組表を表示している状態から、番組の詳細情報を表示している状態や、番組の視聴・予約処理を行うための表示画面を表示している状態に移行してしまう。そのため、通常の番組表を表示している状態を維持したままで、必要な番組情報を取得することができない。
【００１５】
本発明は、上記の問題点に鑑みてなされたものであり、その目的は、イベントの映像の視聴(viewing)および／または音声の聴取を継続しながら、そのイベントを放送しているサービスが属する放送提示単位とは異なる放送提示単位に関するＥＰＧを閲覧することができ、かつ、ユーザが直感的に理解できる操作でＥＰＧを更新させることができる放送受信装置および電子番組ガイドの表示方法、プログラム、記録媒体を提供することにある。
【課題を解決するための手段】
【００１６】
本発明の放送受信装置は、上記の課題を解決するために、イベント情報の配信方式が互いに異なる複数の放送提示単位に属する複数のサービスで放送されるイベントに関するイベント情報およびコンテンツデータを含む複数の放送信号を切り替えながら受信する受信部と、上記受信部で受信されたイベント情報を記憶する記憶部と、上記記憶部に記憶されたイベント情報に基づき、上記各放送提示単位に属する複数のサービスの各々で放送されるイベントの一覧を示す放送提示単位別の複数の電子番組ガイドを切り替えながら作成する電子番組ガイド作成部と、上記電子番組ガイド作成部で作成された電子番組ガイドを表示させると共に、受信しているコンテンツデータに応じた映像および／または音声を出力するための出力部とを備える放送受信装置において、上記電子番組ガイド作成部は、受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の出力を継続させながら、上記記憶部の記憶内容に基づいて第２の放送提示単位の電子番組ガイドを作成して出力部で表示させ、その後、選択対象をユーザが指示するためのカーソルをイベントの一覧上の位置へ他の位置から移動させる第２の指示をユーザから受けると、第２の放送提示単位に属するサービスの放送信号を受信させるように受信部を制御することで、上記記憶部における、第２の放送提示単位に関する記憶内容を更新させ、更新された上記記憶部の記憶内容に基づいて第２の放送提示単位の電子番組ガイドを作成して出力部で表示させることを特徴としている。
【００１７】
上記構成によれば、上記電子番組ガイド作成部は、受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の出力を継続させながら、上記記憶部の記憶内容に基づいて第２の放送提示単位の電子番組ガイドを作成して出力部で表示させるようになっている。したがって、ユーザが、第１の放送提示単位に属するサービスで放送されているイベントの映像の視聴(viewing)および／または音声の聴取をしているときに、受信中のサービスが属する第１の放送提示単位とは異なる第２の放送提示単位の電子番組ガイドを表示させる第１の指示を入力すれば、上記電子番組ガイド作成部が、上記出力部による映像および／または音声の出力を継続させながら（上記受信部による第１の放送提示単位に属するサービスの放送信号の受信および出力部による映像および／または音声の出力を停止させることなく）、上記記憶部の記憶内容に基づいて第２の放送提示単位の電子番組ガイドを作成して出力部で表示させる。それゆえ、ユーザは、第１の放送提示単位に属するサービスで放送されているイベントの映像の視聴(viewing)および／または音声の聴取を継続しながら、第１の放送提示単位と異なる第２の放送提示単位の電子番組ガイドを閲覧することができる。
【００１８】
放送信号に含められて放送局から送信されるイベント情報は、一般に、所定の限られた期間（例えば送信日から１週間後までの期間）に放送されるイベントの情報の集合であり、その期間より短い所定の時間間隔（例えば１日）が経過するごとにその所定の時間間隔の分ずつ新規なイベントの情報が追加され、過去のイベントの情報が削除される。本発明の構成では、第１の指示をユーザから受けた時には、第１の放送提示単位に属するサービスの受信を継続させながら、上記記憶部の記憶内容に基づいて、すなわち最後に受信した第２の放送提示単位のイベント情報に基づいて、第２の放送提示単位の電子番組ガイドを表示するようになっている。したがって、第２の放送提示単位のイベント情報を最後に受信した時点が、現時点の直前でない場合、例えば１日前である場合には、表示される第２の放送提示単位の電子番組ガイドは、最後の受信時点から現在までに行われたイベント情報の追加が反映されないものとなる。そのため、表示される第２の放送提示単位の電子番組ガイドには、一部のイベント情報が抜けているなどの情報の欠落が生じる可能性がある。
【００１９】
第２の放送提示単位の電子番組ガイドにイベント情報の欠落が起こる場合としては、具体的には、以下の場合が考えられる。
【００２０】
(1)まだ一度も第２の放送提示単位のイベント情報を取得していない場合（ユーザが放送受信装置を新規に購入し、初めて放送受信装置の電源を投入した時など）
(2)最後に第２の放送提示単位のイベント情報を取得した時点から、取得可能なイベント情報の期間に近いレベルの長時間が経過した場合（例えば、１週間分ずつ配信されるＢＳデジタルテレビジョン放送のイベント情報を取得した後、１週間にわたって放送受信装置の電源をオフにし、放送受信装置の電源を再投入した場合）
(3)放送受信装置内の記憶部（例えば不揮発性メモリ）の記憶容量が限られており、最後に第２の放送提示単位のイベント情報を取得した時点から、記憶部に記憶可能な量のイベント情報に対応する期間（例えば１日）に近いレベルの長時間が経過した場合（例えば、第２の放送提示単位のイベント情報を１日分までのイベント情報を記憶できる不揮発性メモリに記憶する構成において、第２の放送提示単位のイベント情報を取得した後、１週間にわたって放送受信装置の電源をオフにし、放送受信装置の電源を再投入した場合）
(4)所定の周期（例えば３分）で放送局から送信されるイベント情報の取得を開始してから、その周期より短い時間しか経過していない場合（イベント情報の取得途中の状態）
しかしながら、そのような情報の欠落が生じた場合には、ユーザが第２の指示を入力すれば、電子番組ガイド作成部が、その第２の指示を受け、第２の放送提示単位に属する複数のサービス全てに関するイベント情報を含む少なくとも１つのサービスの放送信号を受信させるように受信部を制御することで、上記記憶部における、第２の放送提示単位に属する複数のサービス全てに関する記憶内容を更新させ、更新された上記記憶部の記憶内容に基づいて第２の放送提示単位の電子番組ガイドを作成して出力部で表示させる。したがって、ユーザは、必要な場合（例えば、最初に表示される第２の放送提示単位の電子番組ガイドではイベント情報が欠落している場合や、第２の放送提示単位に関する最新の電子番組ガイドを確認したい場合）、第２の指示を入力すれば、第２の放送提示単位に属するサービスに関する情報が更新された電子番組ガイドを閲覧することができる。
【００２１】
さらに、上記構成によれば、情報が更新された第２の放送提示単位の電子番組ガイドを閲覧するためのユーザの指示は、選択対象をユーザが指示するためのカーソルをイベントの一覧上の位置へ他の位置から移動させる指示である。そのため、ユーザは、第１の指示によって表示された第２の放送提示単位の電子番組ガイドにイベント情報の抜けがあったときに、「注目しているイベント情報が抜けている部分、すなわちイベントの一覧上の位置へカーソルを移動させれば、抜けている部分のイベント情報が追加されるのではないか」と考えて、そのような指示を入力すれば、抜けている部分のイベント情報が追加される。したがって、上記構成では、取扱説明書などがなくとも、ユーザが、抜けている部分のイベント情報を追加させるための操作を直感的に理解することができる。
【００２２】
また、上記構成によれば、第２の指示が入力されたときに、番組の詳細情報を表示している状態や、番組の視聴・予約処理を行うための表示画面を表示している状態に移行する必要がない。そのため、第２の指示が入力されたときに、電子番組ガイドの表示項目（どのような種類の情報を表示する欄が存在するか）を維持したままで、電子番組ガイドに表示される情報の内容のみを更新させることも可能である。
【００２３】
なお、本願明細書において、「放送提示単位」とは、「ＢＳ（デジタル放送）」、「ＣＳ（デジタル放送）」、「地上（デジタルテレビジョン放送）」などのような、放送受信装置が視聴可能な複数のサービス（チャンネル）を複数のグループに分けてユーザに提示するときの、ユーザに提示されるサービスのグループを指す。グループの分け方は、放送受信装置の仕様に依存する。例えば、前述した液晶テレビ「ＡＱＵＯＳ  Ｇシリーズ」では、サービスは、「ＢＳ」、「ＣＳ１」、「ＣＳ２」、「地上」の４つの放送提示単位に分けられている。一方、近日発売予定の液晶テレビでは、サービスは、「ＢＳ」、「ＣＳ」、「地上」の３つの放送提示単位に分けられている。なお、「ＢＳ」、「ＣＳ１」、および「ＣＳ２」は各々、１つのネットワークから構成され、「ＣＳ」は、２つのネットワーク（ＣＳ１ネットワークおよびＣＳ２ネットワーク）から構成される。「地上」は、トランスポートストリーム（ＮＨＫ総合、ＮＨＫ教育、日本テレビ等）が異なると、ネットワークが異なる。すなわち、「地上」は、トランスポートストリームと１対１で対応するネットワークの集合から構成されている。
【００２４】
また、本願明細書において、「イベント情報の配信方式が互いに異なる放送提示単位」とは、イベント情報の配信に関する運用規定が互いに異なる複数のサービス群（例えば、ＢＳデジタル放送、ＣＳデジタル放送、地上デジタルテレビジョン放送）か、あるいは、イベント情報の配信に関する運用規定は共通するが、イベント情報を配信するシステム（ネットワークが互いに異なる複数のサービス群（例えば、ＣＳ１ネットワークとＣＳ２ネットワーク）を指す。
【００２５】
また、「イベント」とは、同一サービス（チャンネル）内で開始・終了時刻の決まったストリームの集合である。放送信号に含まれるイベント情報は、イベントに関する情報であれば、そのデータ構造などは特に限定されるものではないが、例えば、放送信号が現在運用されているデジタル放送の信号である場合には、少なくともＥＩＴを含む情報（番組配列情報、ＳＩ、ＥＩＴなど）である。
【００２６】
また、本願明細書における「カーソル」は、ユーザの指示に応じて移動し、かつその位置がユーザに認識できるような形態であれば特に限定されるものではなく、矢印や太枠などの一般的にカーソルと呼ばれる形態であってもよく、ハイライト表示部などの他の形態であってもより。ハイライト表示とは、選択されている部分を選択されていない部分と異なる形態で表示するものであり、反転表示（選択されている部分を選択されていない部分とで、文字部分の輝度と背景部分の輝度との間の高低関係を反転させる表示）、色分け表示（選択されている部分を選択されていない部分とで、文字部分および／または背景部分の色を異ならせる表示）などである。
【００２７】
また、本願明細書において「記憶内容を更新する」とは、記憶内容を最新の番組配列情報に対応する内容にすることを指す。したがって、記憶内容を更新しても、記憶内容が変更されないことも有り得る。
【００２８】
本発明の放送受信装置において、電子番組ガイド作成部は、第２の指示をユーザから受けると、第２の放送提示単位に属するサービスに関するイベント情報を含む少なくとも１つのサービスの放送信号を受信させるように受信部を制御することで、上記記憶部における、第２の放送提示単位に属するサービスに関する記憶内容を更新させ、更新された上記記憶部の記憶内容に基づいて第２の放送提示単位の電子番組ガイドを作成して出力部で表示させるようになっていることが好ましい。これにより、第２の放送提示単位に属するサービスに関する情報が更新され、情報の欠落などがより少ない電子番組ガイドを表示させることができる。
【００２９】
さらに好ましくは、本発明の放送受信装置において、電子番組ガイド作成部は、第２の指示をユーザから受けると、第２の放送提示単位に属する複数のサービス全てに関するイベント情報を含む少なくとも１つのサービスの放送信号を受信させるように受信部を制御することで、上記記憶部における、第２の放送提示単位に属する複数のサービス全てに関する記憶内容を更新させ、更新された上記記憶部の記憶内容に基づいて第２の放送提示単位の電子番組ガイドを作成して出力部で表示させるようになっていることが好ましい。これにより、全サービスに関する情報が更新され、情報の欠落などがない電子番組ガイドを表示させることができる。
【００３０】
上記電子番組ガイド作成部は、イベントの一覧に加えて、上記各放送提示単位に属する視聴可能なサービスの一覧を示す電子番組ガイドを作成するものであることが好ましい。
【００３１】
上記構成によれば、たとえ記憶部に過去に放送されたイベント情報しか記憶されておらず、放送されるイベント（現在放送されているイベントあるいは今後放送されるイベント）の一覧を電子番組ガイド中に表示できない場合であっても、視聴可能なサービスの一覧を表示することができる。したがって、ユーザは、そのような場合であっても、視聴可能なサービスの全てを閲覧することができる。
【００３２】
上記サービスの一覧を示す電子番組ガイドを作成する構成の放送受信装置において、電子番組ガイドを作成する上記電子番組ガイド作成部は、上記第１の指示をユーザから受けたときには、カーソルをサービスの一覧上に表示させるものであり、上記第２の指示は、カーソルをサービスの一覧上からイベントの一覧上に移動させる指示であることが好ましい。
【００３３】
上記構成によれば、上記第１の指示をユーザから受けたときには、カーソルがサービスの一覧上に表示される。したがって、ユーザがカーソルで所望のサービスを指示することにより、選択しているサービスを切り替えることが可能である。この選択しているサービスの切り替えにより、例えば、多数のサービスをスクロールさせながら閲覧することが可能になる。
【００３４】
また、上記電子番組ガイド作成部は、それ自体が第１の放送提示単位の電子番組ガイドを作成しており、かつ、受信したコンテンツデータに応じた映像および／または音声が上記出力部から出力されているときに、上記第１の指示をユーザから受けると、上記記憶部の記憶内容に基づいて第２の放送提示単位の電子番組ガイドを作成し、作成された第２の放送提示単位の電子番組ガイドを第１の放送提示単位の電子番組ガイドに代えて出力部で表示させるようになっていることが好ましい。
【００３５】
上記構成によれば、ユーザが、第１の放送提示単位に属するサービスで放送されているあるイベントの映像の視聴(viewing)および／または音声の聴取をしながら第１の放送提示単位の電子番組ガイドを閲覧しているときに、第１の指示を入力すれば、上記電子番組ガイド作成部が、上記受信部による第１の放送提示単位に属するサービスの放送信号の受信を継続させると共に上記出力部による映像および／または音声の出力を継続させながら、上記記憶部の記憶内容に基づいて第２の放送提示単位の電子番組ガイドを作成し、作成された第２の放送提示単位の電子番組ガイドを第１の放送提示単位の電子番組ガイドに代えて出力部で表示させる。それゆえ、ユーザは、第１の放送提示単位に属するサービスで放送されているイベントの映像の視聴(viewing)および／または音声の聴取を継続しながら、第１の放送提示単位の電子番組ガイドと第２の放送提示単位の電子番組ガイドとを容易に切り替えて閲覧することができる。
【００３６】
また、本発明に係る電子番組ガイドの表示方法は、上記の課題を解決するために、イベント情報の配信方式が互いに異なる複数の放送提示単位に属する複数のサービスで放送されるイベントに関するイベント情報およびコンテンツデータを含む複数の放送信号を切り替えながら受信する受信部と、上記受信部で受信されたイベント情報を記憶する記憶部と、受信しているコンテンツデータに応じた映像および／または音声を出力するための出力部とを備える放送受信装置において、上記記憶部に記憶されたイベント情報に基づき、上記各放送提示単位に属する複数のサービスの各々で放送されるイベントの一覧を示す放送提示単位別の複数の電子番組ガイドの中から何れかを選択して表示する電子番組ガイドの表示方法であって、受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の出力を継続しながら、上記記憶部の記憶内容に基づいて第２の放送提示単位の電子番組ガイドを表示し、その後、選択対象をユーザが指示するためのカーソルをイベントの一覧上の位置へ他の位置から移動させる第２の指示をユーザから受けると、第２の放送提示単位に属するサービスの放送信号を受信し、上記記憶部における、第２の放送提示単位に関する記憶内容を更新し、更新した上記記憶部の記憶内容に基づいて第２の放送提示単位の電子番組ガイドを表示することを特徴としている。
【００３７】
上記方法によれば、受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の出力を継続させながら、上記記憶部の記憶内容に基づいて第２の放送提示単位の電子番組ガイドを表示するようになっている。それゆえ、ユーザは、第１の放送提示単位に属するサービスで放送されているイベントの映像の視聴(viewing)および／または音声の聴取を継続しながら、第１の放送提示単位と異なる第２の放送提示単位の電子番組ガイドを閲覧することができる。
【００３８】
また、上記方法では、その後、第２の指示をユーザから受けると、その第２の指示を受け、第２の放送提示単位に属する複数のサービス全てに関するイベント情報を含む少なくとも１つのサービスの放送信号を受信させるように受信部を制御することで、上記記憶部における、第２の放送提示単位に属する複数のサービス全てに関する記憶内容を更新させ、更新された上記記憶部の記憶内容に基づいて第２の放送提示単位の電子番組ガイドを表示するようになっている。したがって、ユーザは、必要な場合（例えば、最初に表示される第２の放送提示単位の電子番組ガイドでは必要な情報が欠落している場合や、第２の放送提示単位に関する最新の電子番組ガイドを確認したい場合）、第２の指示を入力すれば、第２の放送提示単位に属するサービスに関する情報が更新された電子番組ガイドを閲覧することができる。
【００３９】
さらに、上記方法によれば、情報が更新された第２の放送提示単位の電子番組ガイドを閲覧するためのユーザの指示は、選択対象をユーザが指示するためのカーソルをイベントの一覧上の位置へ他の位置から移動させる指示である。そのため、ユーザは、第１の指示によって表示された第２の放送提示単位の電子番組ガイドにイベント情報の抜けがあったときに、「注目しているイベント情報が抜けている部分、すなわちイベントの一覧上の位置へカーソルを移動させれば、抜けている部分のイベント情報が追加されるのではないか」と考えて、そのような指示を入力すれば、抜けている部分のイベント情報が追加される。したがって、上記方法では、取扱説明書などがなくとも、ユーザが、抜けている部分のイベント情報を追加させるための操作を直感的に理解することができる。。
【００４０】
また、上記方法によれば、第２の指示が入力されたときに、番組の詳細情報を表示している状態や、番組の視聴・予約処理を行うための表示画面を表示している状態に移行する必要がない。そのため、第２の指示が入力されたときに、電子番組ガイドの表示項目（どのような種類の情報を表示する欄が存在するか）を維持したままで、電子番組ガイドに表示される情報の内容のみを更新させることも可能である。
【００４１】
また、本発明に係るプログラムは、イベント情報の配信方式が互いに異なる複数の放送提示単位に属する複数のサービスで放送されるイベントに関するイベント情報およびコンテンツデータを含む複数の放送信号を切り替えながら受信する受信部と、上記受信部で受信されたイベント情報を記憶する記憶部と、上記電子番組ガイド作成部で作成された電子番組ガイドを表示させると共に、受信しているコンテンツデータに応じた映像および／または音声を出力するための出力部とを備える放送受信装置において、上記記憶部に記憶されたイベント情報に基づき、上記各放送提示単位に属する複数のサービスの各々で放送されるイベントの一覧を示す放送提示単位別の複数の電子番組ガイドの中から何れかを選択して出力部に表示させる処理をコンピュータに実行させるためのプログラムであって、受信したコンテンツデータに応じた映像および／または音声が上記出力部から出力されているときに、受信中のサービスが属する第１の放送提示単位とは異なる第２の放送提示単位の電子番組ガイドを表示させる第１の指示をユーザから受けると、受信したコンテンツデータに応じた映像および／または音声の上記出力部からの出力を継続させながら、上記記憶部の記憶内容に基づいて第２の放送提示単位の電子番組ガイドを表示させるステップと、
その後、選択対象をユーザが指示するためのカーソルをイベントの一覧上の位置へ他の位置から移動させる第２の指示をユーザから受けると、第２の放送提示単位に属するサービスの放送信号を受信部で受信させ、上記記憶部における、第２の放送提示単位に関する記憶内容を更新させ、更新された上記記憶部の記憶内容に基づいて第２の放送提示単位の電子番組ガイドを出力部に表示させるステップとを、コンピュータに実行させるためのものである。
【００４２】
また、本発明に係る記録媒体は、上記プログラムを記録したコンピュータ読み取り可能な記録媒体である。
【発明の効果】
【００４３】
本発明によれば、以上のように、イベントの映像の視聴(viewing)および／または音声の聴取を継続しながら、そのイベントを放送しているサービス（チャンネル）が属する放送提示単位とは異なる放送提示単位に関するＥＰＧを閲覧することができ、かつ、ユーザが直感的に理解できる操作でＥＰＧを更新させることができる放送受信装置および電子番組ガイドの表示方法、プログラム、記録媒体を提供することができる。
【発明を実施するための最良の形態】
【００４４】
本発明の一実施形態について図１ないし図１１に基づいて説明すると、以下の通りである。
【００４５】
ここでは、本発明に係る放送受信装置の実施の一形態として、コンテンツデータ（映像情報や音声情報）および番組配列情報（イベント情報）を含むデジタル放送波を受信し、受信したコンテンツデータに対応する映像情報および／または音声情報を出力すると共に、受信した番組配列情報に基づいてデジタル放送のＥＰＧを表示するデジタル放送受信機能付きテレビについて説明する。
【００４６】
デジタル放送としては、現在、ＢＳ（Broadcasting Satellite；放送衛星）を使用してテジタル信号による放送を行うＢＳデジタル放送、ＣＳ（Communication Satellite；通信衛星）を使用してテジタル信号による放送を行うＣＳデジタル放送、地上の電波塔からデジタル化した放送波を送信する地上テジタル放送、の３種類の放送が行われているが、デジタル放送テレビ１００は、これら３種類の放送のいずれも受信可能である。また、デジタル放送では、現在、テレビ放送、ラジオ放送、データ放送の３種類のサービスが行われている。これら３つのサービスで提供されるコンテンツは、テレビ放送では映像情報および音声情報、ラジオ放送では音声情報、データ放送では文字情報である。デジタル放送テレビ１００は、これら３種類のサービスのいずれにも対応しており、各サービスで提供されるコンテンツを映像および／または音声として出力することができる。なお、サービスの違いは、表示画面の表示レイアウトには関係がないため、以下の説明では、デジタル放送波がテレビ放送のものである場合について説明する。
【００４７】
ここで、現在我が国で運用されているＢＳデジタル放送、ＣＳデジタル放送、および地上デジタルテレビジョン放送におけるデータ伝送方式について説明する。
【００４８】
現在我が国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。ＴＳは、社団法人電波産業会（ＡＲＩＢ）の標準規格に従ったデータ構造を有しており、コンテンツデータとしての要素信号（ＥＳ；Elemantary Stream）に対して、イベント情報としての番組配列情報をヘッダとして付加したＴＳパケットで構成されている。
【００４９】
番組配列情報のデータ構造は、ＡＲＩＢ標準規格であるARIB STD-B10 「デジタル放送に使用する番組配列情報標準規格」に従ったものである。番組配列情報は、ＭＰＥＧ（Moving Pictures Expert Group）−２システム規格で規定された伝送制御情報であるＰＳＩ（Program Specific Information；番組特定情報）と、ＥＰＧなどを構築するためのＳＩ（Service Information；サービス情報）とで構成される。
【００５０】
ＰＳＩは、ＴＳが実際に放送されている周波数の情報を含んでいる。
【００５１】
ＳＩは、ＢＩＴ（Broadcaster Information Table；放送局情報テーブル）、ＳＤＴ（service Description Table；サービス記述テーブル）、ＥＩＴ（イベント情報テーブル）、およびＴＯＴ（Time Offset Table；時刻オフセットテーブル）の４つのテーブルで構成されている。
【００５２】
ＢＩＴは、ネットワーク内の放送局に関する情報を記載したものである。
【００５３】
ＳＤＴは、ＴＳ情報部とサービス情報部とに分かれている。ＴＳ情報部は、ネットワークを識別するためのネットワークＩＤと、ＴＳを識別するためのＴＳ ＩＤ（IDentifier）とを含んでいる。ＢＳネットワークには、ネットワークＩＤ「４」が割り当てられている。また、ＣＳ１ネットワークおよびＣＳ２ネットワークにはそれぞれ異なる値のネットワークＩＤが割り当てられている。また、地上デジタルテレビジョン放送では、同じ地域では各放送局ごとに異なる値のネットワークＩＤが割り当てられている。サービス情報部は、ネットワーク内で個々のサービス（チャンネル）を識別するための識別子であるサービスＩＤ（いわゆるチャンネル番号）を含んでいる。
【００５４】
ＥＩＴは、イベントごとの番組情報を記載したものであり、サービス情報部とイベント情報部とに分かれている。サービス情報部は、ネットワーク内で個々のサービス（チャンネル）を識別するための識別子であるサービスＩＤ（いわゆるチャンネル番号）を含んでいる。イベント情報部は、イベントＩＤ、イベント開始時刻、イベント継続時間、イベントの名称（番組タイトル）、イベントのジャンルなどを含んでいる。
【００５５】
ＴＯＴは、現在時刻を記載したものである。
【００５６】
なお、番組配列情報のデータ構造の詳細については、ＡＲＩＢより頒布されている図書『ARIB STD-B10 「デジタル放送に使用する番組配列情報標準規格」 4.0版』（平成１６年１２月１４日策定）に記載されている。
【００５７】
図１に示すように、本実施形態に係るデジタル放送受信機能付きテレビ（以下、「デジタル放送テレビ」と称する）１００は、チューナ１６と、出力部としてのスピーカ６および表示パネル７とを備えている。また、デジタル放送テレビ１００は、外部のリモコン８からの指示信号（信号光）を受け取り、受け取った指示信号に応じた動作を行うようになっている。
【００５８】
チューナ１６は、図１に示すように、デジタル復調部（受信部）２、デマルチプレクサ９、ＡＶデコーダ４、音声制御部１１、表示制御部１３、番組配列情報記憶部５、リモコン受光部１４、および制御部３を備えている。
【００５９】
デジタル復調部２は、ＢＳデジタル放送、ＣＳデジタル放送、または地上デジタルテレビジョン放送のデジタル放送波（デジタル放送信号を搬送する高周波の放送波）をデジタル放送の放送局から受信する外部のアンテナ１に接続されている。図１ではアンテナ１を１つのものとして描いているが、実際には、アンテナ１は、ＢＳデジタル放送、ＣＳデジタル放送、または地上デジタルテレビジョン放送の各々のための３つのアンテナである。地上デジタルテレビジョン放送信号（放送波）は、地上のデジタルテレビジョン放送の放送局から送信され、地上デジタルテレビジョン放送用アンテナで受信される。
【００６０】
デジタル復調部２は、所望のサービスのチャンネルに同調することで、アンテナ１で受信されたデジタル放送信号の中から所望のサービスのデジタル放送信号を取り出すと共に、デジタル放送信号をベースバンドのビットストリーム信号に復調する。この所望のサービスのチャンネルのデジタル放送波に同調することで所望のサービスのデジタル放送信号を取り出す動作は、選局と呼ばれる。デジタル復調部２は、後述する選局制御部１５からの指示により、選局（同調）するサービスを選択する。
【００６１】
デジタル放送信号には、前述したように、映像データや音声データ等のコンテンツデータと、番組配列情報とが含まれており、それゆえ、デジタル復調部２で復調されたビットストリーム信号にも、コンテンツデータと番組配列情報とが含まれている。デジタル復調部２で復調されるビットストリーム信号は、イベントのコンテンツデータのビットストリーム信号、番組配列情報のビットストリーム信号などを多重化したものである。
【００６２】
デマルチプレクサ９は、このデジタル復調部２で復調された、多重化されたビットストリーム信号から、番組配列情報のビットストリーム信号を取り出す。すなわち、デマルチプレクサ９は、多重化されたビットストリーム信号を、映像情報（動画情報、静止画情報、文字情報など）のビットストリーム信号、音声情報のビットストリーム信号、番組配列情報のビットストリーム信号などに分離する。デマルチプレクサ９は、番組配列情報を番組配列情報記憶部５に記憶させる。また、デマルチプレクサ９は、映像情報および音声情報のビットストリーム信号をＡＶデコーダ４に送る。なお、ビットストリーム信号に含まれる番組配列情報は、ＢＳデジタルのテレビ放送の場合、通常、約１週間分（例えば８日間）のＥＰＧに関するものである。番組配列情報には、イベントの名称、イベントの放送日時、イベントの内容、イベントの出演者等のイベントに関する情報が含まれている。
【００６３】
ＡＶデコーダ４は、デマルチプレクサ９から送られた映像情報（圧縮された映像情報）のビットストリーム信号を、表示パネル７で処理可能な形式の映像信号に復号する処理を行い、処理により得られた映像信号を後述する表示制御部１３を介して後述する画像合成部１２に送ると共に、デマルチプレクサ９から送られた音声情報（圧縮された音声情報）のビットストリーム信号を、スピーカ６で処理可能な形式の音声信号に復号し、音声制御部１１を介してスピーカ６に送る。スピーカ６は、ＡＶデコーダ４から送られた音声信号に応じて音声を出力する。なお、放送信号に含まれる圧縮された映像情報の圧縮形式には、例えばＭＰＥＧ(Motion Picture Experts Group)−２ Videoを用い、放送信号に含まれる圧縮された音声情報の圧縮形式には、例えばＭＰＥＧ−２ Audio AACを用いる。これら圧縮形式は、これに限るものではなく、例えば動画像符号化技術の国際標準方式であるＭＰＥＧ−４ VisualやＨ．２６４（ＭＰＥＧ−４  ＡＶＣ）等を映像情報の圧縮形式として用いてもよい。
【００６４】
音声制御部１１は、後述するＥＰＧ作成部１０からの指示に基づいて、スピーカ６への音声信号の出力を停止させるものである。
【００６５】
表示制御部１３は、後述するＥＰＧ作成部１０からの指示に基づいて、画像合成部１２への映像信号の出力を停止させ、その結果として、受信している放送信号に対応するイベントの映像を表示パネル７に表示させることを停止させるものである。
【００６６】
番組配列情報記憶部５は、デマルチプレクサ９で取り出された番組配列情報のビットストリーム信号を記憶するものである。
【００６７】
リモコン受光部１４は、ユーザが外部のリモコン８に入力した指示に応じた信号を外部のリモコン８から赤外線で受信し、受信した信号に基づいてユーザがリモコン８に入力した指示を判別し、その指示に応じた指示信号を制御部３に送る。
【００６８】
制御部３は、ＥＰＧを表示させるユーザの指示を指示信号として受け、この指示信号に基づいて、デジタル放送テレビ１００における各種構成要素の動作を統括的に制御するものである。制御部３は、ＥＰＧ作成部１０、画像合成部１２、および選局制御部１５を含んでいる。
【００６９】
ＥＰＧ作成部１０は、利用可能な複数のサービスを複数の放送提示単位に分け、番組配列情報記憶部５に記憶された番組配列情報に基づき（より詳細には番組配列情報のＳＩに含まれるＥＩＴに基づき）、放送提示単位別の複数のＥＰＧの画像信号を、ユーザの指示に応じて切り替えながら作成するものである。上記ＥＰＧは、対応する放送提示単位に属する複数のサービスの一覧と、それら複数のサービスの一覧とを示すものである。ここでは、上記複数の放送提示単位は、イベント情報の配信方式に係る運用規定（標準規格）が互いに異なるＢＳデジタル放送、ＣＳデジタル放送、および地上デジタルテレビジョン放送の３つである。したがって、本実施形態では、ＥＰＧ作成部１０は、地上デジタルテレビジョン放送のＥＰＧ、ＢＳデジタル放送のＥＰＧ、およびＣＳデジタル放送のＥＰＧのいずれかを切り替えて作成するようになっている。また、本実施形態では、上記ＥＰＧは、縦方向にサービスＩＤ順（チャンネル番号順）にイベント情報を配列させ、かつ、横方向を時間軸として時間順にイベント情報を配列させたマトリクス状のＥＰＧである。ＥＰＧ作成部１０は、１つの放送提示単位で利用可能な全てのサービスに関するＥＰＧの少なくとも一部サービスに対応する部分を表示パネル７に表示させるようにＥＰＧの画像信号を作成する。ＥＰＧ作成部１０は、作成したＥＰＧ画面の画像信号を画像合成部１２に送る。
【００７０】
ＥＰＧ作成部１０は、リモコン８からリモコン受光部１４を介して、カーソルをＥＰＧ画面のサービス表示部からイベント表示部に移動させる指示（第２の指示）を受けると、視聴中のイベントを放送しているサービスが属する放送提示単位とは異なる他の放送提示単位の番組配列情報を取得する指示を選局制御部１５に送ると共に、取得され番組配列情報記憶部５に記憶された番組配列情報を読み出すことで、視聴中のイベントを放送しているサービスが属する放送提示単位とは異なる他の放送提示単位の番組配列情報を取得するようになっている。
【００７１】
また、ＥＰＧ作成部１０は、リモコン８からリモコン受光部１４を介して、カーソルをＥＰＧ画面のサービス表示部からイベント表示部に移動させる指示（第２の指示）を受けると、音声制御部１１および表示制御部１３に対してそれぞれ、スピーカ６への音声信号の出力、および画像合成部１２への映像信号の出力を停止させる指示を送り、その結果として、表示パネル７におけるイベントの映像の表示、およびスピーカ６における放送イベントの音声の出力を停止させる。
【００７２】
また、ＥＰＧ作成部１０は、リモコン８からリモコン受光部１４を介して、カーソルを移動させる指示（カーソルキー２６〜２９による指示）を受けると、その指示に基づいて、カーソルを移動させてＥＰＧ画面上に表示させる処理を行うようになっている。また、ＥＰＧ作成部１０は、サービス表示部や日時表示部のハイライト表示処理も行うようになっている。
【００７３】
画像合成部１２は、ＥＰＧ作成部１０から送られたＥＰＧ画面の画像信号をＡＶデコーダ４から送られたイベントの映像信号と合成し、得られた映像信号を表示パネル７に出力する。これにより、画像合成部１２は、ＥＰＧ作成部１０が作成したＥＰＧ画面の画像を、ＡＶデコーダ４からの映像信号に対応する映像（放送イベントの映像）に重畳して表示パネル７に表示させる。このように表示させることで、ユーザは、放送イベントを視聴中にＥＰＧを確認することができる。なお、通常の視聴状態においては、ＥＰＧ作成部１０からＥＰＧ画面の画像信号が送られないので、画像合成部１２は、ＡＶデコーダ４から送られた映像信号を表示パネル７にそのまま出力する。
【００７４】
選局制御部１５は、リモコン８からリモコン受光部１４を介して、サービスを選局する指示や、後述する放送提示単位の切り替え指示を受け、指示に応じて、選局するチャンネルを切り替えるようにデジタル復調部２を制御する。また、選局制御部１５は、ＥＰＧ作成部１０からの指示も受け取ることができ、ＥＰＧ作成部１０から、視聴中のイベントを放送しているサービスが属する放送提示単位とは異なる他の放送提示単位の番組配列情報を取得する指示を受けると、選局するチャンネルを他の放送提示単位の番組配列情報を送信している少なくとも１つのチャンネルに切り替えるようにデジタル復調部２を制御する。
【００７５】
表示パネル７は、画像合成部１２から送られた、イベントの映像および／またはＥＰＧ画面を含む映像の信号を映像として出力する。表示パネル７は、特に限定されるものではなく、液晶ディスプレイパネル、プラズマディスプレイパネル、有機ＥＬディスプレイパネル等である。また、表示パネル７に代えて、ＣＲＴ（cathode ray tube）ディスプレイや投射型表示装置（プロジェクタ）などを用いてもよい。
【００７６】
リモコン８は、図２に示すように、ユーザがデジタル放送テレビ１００に指示を入力するためのキー群を備え、そのキー群の操作に応じて各種指示を表す信号をリモコン受光部１４へ送るものである。上記キー群は、デジタル放送テレビ１００の表示パネル７にＥＰＧ画面を表示させるための番組表キー２０、３つの放送切換キー２１、ＥＰＧ画面上でカーソルのある位置のイベント（現在選択しているイベント）を選局あるいは予約するための決定キー２５、ＥＰＧ画面上のカーソルを上へ移動させるための上カーソルキー２６、ＥＰＧ画面上のカーソルを左へ移動させるための左カーソルキー２７、ＥＰＧ画面上のカーソルを右へ移動させるための右カーソルキー２８、およびＥＰＧ画面上のカーソルを下へ移動させるための下カーソルキー２９を備えている。リモコン８は、例えば、イベントの映像の表示中に番組表キー２０が押下されたときには、そのイベントを放送しているサービスの属する放送提示単位のＥＰＧ画面（後述するＥＰＧ画面３０）を起動する指示を表す信号を送る。
【００７７】
放送切換キー２１は、放送ネットワークの切り替えを指示するためのキーであり、地上デジタルテレビジョン放送キー２２、ＢＳデジタル放送キー２３、ＣＳデジタル放送キー２４の３つのキーで構成されている。
【００７８】
放送切換キー２１は、ＥＰＧを放送イベントの映像に重畳表示しているときには、ＥＰＧ作成部１０が作成するＥＰＧを、ある放送提示単位のＥＰＧから別の放送提示単位のＥＰＧに切り替える指示を入力するキーとして機能する。
【００７９】
また、放送切換キー２１は、ＥＰＧを表示することなく放送イベントの映像を表示しているときには、デジタル復調部２が選局するチャンネルを、ある放送提示単位のチャンネルから別の放送提示単位のチャンネルに切り替える指示を入力するキーとして機能する。ＥＰＧが表示されることなく放送イベントの映像が表示パネル７に表示された状態で、現在表示中の放送イベントの放送提示単位と異なる放送提示単位に対応する放送切換キー２１からの入力があった場合、デジタル復調部２が、入力された放送切換キー２１に対応する放送提示単位（例えばＣＳデジタル放送）の１つのサービスに同調して放送中のイベントのコンテンツデータを取得し、その放送中のイベントの映像を表示パネル７に表示する。例えば、ＣＳデジタル放送キー２４が選択された場合、デジタル復調部２がＣＳデジタル放送の１つのサービスに同調して放送中のイベントのコンテンツデータを取得し、その放送中のイベントの映像を表示パネル７に表示する。
【００８０】
次に、デジタル放送テレビ１００におけるＥＰＧの表示処理について詳細に説明する。
【００８１】
以下の説明では、利用可能なＢＳデジタル放送のサービスが、サービスＩＤが１０１，１０２，１０３，１４１，２０１の５つのサービスであり、これらサービスのＴＳＩＤ（トランスポートストリームＩＤ）がそれぞれ４０００，４０００，４００１，５０００，６０００であるものとする。デジタル放送テレビ１００の番組配列情報記憶部５は、表１のように、各放送提示単位毎にこれに含まれる複数のサービスに関する番組配列情報（この例では、ネットワークＩＤ、サービスＩＤ、ＴＳ  ＩＤ、および周波数）のリストを持っている。
【００８２】
【表１】
2006238049.tif 000003
【００８３】
また、以下の説明では、利用可能な地上デジタルテレビジョン放送のサービスが、３桁番号（地上デジタルテレビジョン放送においてサービスＩＤの代わりにユーザーに提示される番号）が０１１，０２１，０４１，０６１の４つのサービスであるものとする。
【００８４】
デジタル放送テレビ１００は、通常は、表示パネル７上にＥＰＧを表示させることなく選局中のイベントの映像を表示している状態、すなわちユーザがイベントを視聴している状態；以下、「通常視聴状態」と称する）にある。この通常視聴状態では、デジタル放送信号が、アンテナ１で受信され、デジタル復調部２でベースバンドのビットストリーム信号に復調される。そして、復調されたビットストリーム信号が、デマルチプレクサ９にて、コンテンツデータ（要素信号）と番組配列情報とに分離される。コンテンツデータは、テレビ放送では映像情報および音声情報のビットストリーム、ラジオ放送では音声情報のビットストリームである。映像情報のビットストリーム信号は、ＡＶデコーダ４で復号された後、画像合成部１２を介して表示パネル７に送られ、映像として表示パネル７に表示される。音声情報のビットストリーム信号は、ＡＶデコーダ４で復号された後、スピーカ６に送られ、音声としてスピーカ６から出力される。番組配列情報は、番組配列情報記憶部５に格納される。
【００８５】
以上のようにして、デジタル放送テレビ１００は、番組配列情報を受信して番組配列情報記憶部５に格納する。番組配列情報は、常時受信してもよいが、映像および音声の出力を妨げないタイミングで、例えばデジタル放送信号の受信を開始した時に、受信することが好ましい。
【００８６】
地上デジタルテレビジョン放送の１サービスの放送信号は、そのサービスのみに関する番組配列情報（各局ＳＩ）を含んでいる。そのため、デジタル放送テレビ１００は、地上デジタルテレビジョン放送の受信開始時には、デジタル復調部２によるチャンネルスキャンを行うことにより、視聴地域の地上デジタルテレビジョン放送の全サービスの番組配列情報（各局ＳＩ）を受信し、番組配列情報記憶部５にこの番組配列情報を記憶させる。そして、各サービスがそれぞれ選局されてデジタル復調部２が他のサービスの番組配列情報を受信する度に、受信した番組配列情報によって番組配列情報記憶部５に記憶された番組配列情報を更新する。
【００８７】
また、ＢＳデジタル放送あるいはＣＳデジタル放送の１サービスの放送信号は、同一ネットワークに属する全サービスに関するイベント情報（全局ＳＩ）を含んでいる。そのため、デジタル放送テレビ１００は、ＢＳデジタル放送、ＣＳ１ネットワーク、およびＣＳ２ネットワークの受信開始時には、デジタル復調部２により、受信するネットワーク（ＢＳデジタル放送、ＣＳ１ネットワーク、またはＣＳ２ネットワーク）に属する所定の１サービス（例えば、データ再送周期の短いプロモーションチャンネル）を選局し、そのネットワークの全サービスの番組配列情報（全局ＳＩ）を受信し、番組配列情報記憶部５に受信した番組配列情報（全局ＳＩ）を記憶させる。
【００８８】
この通常視聴状態では、デジタル放送テレビ１００は、ユーザがリモコン８の番組表キー２０を押下するまでは、ＥＰＧ画面を起動せずに待機する。
【００８９】
そして、デジタル放送テレビ１００は、ユーザがリモコン８の番組表キー２０を押下すると、すなわち、リモコン受光部１４からＥＰＧ画面の起動を指示する指示信号を受け取ると、デジタル放送の放送局から受信した番組配列情報に基づいてＥＰＧを表示パネル７に表示する。
【００９０】
より詳細には、まず、ＥＰＧ作成部１０が、リモコン受光部１４からＥＰＧ画面の起動を指示する信号を受け、ＥＰＧ画面中に表示すべきサービス情報やイベント情報（イベントの名称など）などの情報を番組配列情報記憶部５から読み出し、読み出した情報に基づいてＥＰＧ画面の画像信号を作成する。そして、画像合成部１２が、作成されたＥＰＧ画面の画像信号を、視聴中のイベントの映像信号と合成して表示パネル７に出力することで、表示パネル７において、ＥＰＧ画面を視聴中のイベントの映像に重畳表示させる。
【００９１】
その結果、図３または図４に示すように、視聴中の放送提示単位（この例ではＢＳデジタル放送、ＣＳデジタル放送、または地上波デジタルテレビジョン放送）に属する複数のサービスの各々で放送されるイベント情報を示すＥＰＧ画面３０（基本画面）が、視聴中のイベント映像３５に重畳されて表示パネル７（図１参照）のスクリーン７ａ上に表示される。図３は、ＢＳデジタル放送に関するＥＰＧ画面３０の例であり、図４は、地上デジタルテレビジョン放送に関するＥＰＧ画面３０の例である。
【００９２】
ＥＰＧ画面３０は、図３または図４に示すように、サービス表示部３１、イベント表示部３２、および日時表示部３３からなるＥＰＧ表示部と、他の部分とで構成されている。
【００９３】
サービス表示部３１は、視聴可能なサービスの一覧を示すものである。この例では、４つのサービスＩＤ（チャンネル番号）が縦方向に沿って配列されている。サービス表示部３１では、常にいずれか１つのサービスＩＤが選択された状態となる。通常の視聴状態からＥＰＧ画面３０を起動した場合、現在視聴中のイベントに対応するサービスＩＤが選択される。そして、現在選択されているサービスＩＤはハイライト表示される。したがって、通常の視聴状態からＥＰＧ画面３０を起動した場合、現在視聴中のイベントに対応するサービスＩＤがハイライト表示される。
【００９４】
なお、ある放送提示単位のＥＰＧから異なる放送提示単位のＥＰＧへの切り替え時には、後述するように、サービス表示部３１における現在選択されているサービスＩＤ上にカーソル３４が表示される。サービス表示部３１にカーソル３４が存在する場合には、ユーザがリモコン８の上下カーソルキー２６・２９を押下するに従ってサービス表示部３１上でカーソル３４を上下に移動させることができる。ただし、カーソル３４が一番上に達した後、ユーザがリモコン８の上カーソルキー２６を押下すると、カーソル３４を移動させることなくサービス表示部３１が下方へ１行分スクロールされる。同様に、カーソル３４が一番下に達した後、ユーザがリモコン８の下カーソルキー２９を押下すると、カーソル３４を移動させることなくサービス表示部３１が上方へ１行分スクロールされる。このように上下にスクロールすることにより、ユーザは、現在視聴中のイベントに対応する放送提示単位に属する全てのサービス（この例ではサービスＩＤ）を知ることができる。なお、サービスＩＤに代えて、サービスのロゴやサービス名などを表示してもよい。
【００９５】
イベント表示部３２は、受信中のチャンネル（サービス）と同一の放送提示単位（この例では地上デジタルテレビジョン放送、ＢＳデジタル放送、またはＣＳデジタル放送）に属する複数のサービスで放送中あるいは放送予定のイベントの一覧（イベント名などのイベント情報の一覧）を時系列で表示するものである。この例では、イベント表示部３２は、時間軸が横軸であり、各サービスごとのイベント情報を表示する横方向の行が、サービス表示部３１と対応するように配置されている。また、イベント名などのイベント情報は、各イベントごとに設けられたセル内に表示されている。また、イベント表示部３２は、サービス表示部３１の右に配置されている。
【００９６】
イベント表示部３２に表示されるＥＰＧの時間幅は、例えば３時間や６時間など適宜設定すればよいが、図３および図４の例では３時間である。また、イベント表示部３２に表示されるＥＰＧのチャンネル数（サービス数）は、特に限定されないが、図３および図４の例では４チャンネル（サービス）である。
【００９７】
イベント表示部３２では、常にいずれか１つのセルが選択された状態となる。通常の視聴状態からＥＰＧ画面３０を起動した場合、現在視聴中のイベントに対応するセルが選択される。そして、現在選択されているのイベントに対応するセル上にカーソル３４が表示される。したがって、通常の視聴状態からＥＰＧ画面３０を起動した場合、現在視聴中のイベントに対応するセル上にカーソル３４が表示される。
【００９８】
また、イベント表示部３２にカーソル３４が存在する場合には、ユーザが、リモコン８のカーソルキー２６〜２９を用いてカーソル３４を所望のイベントに対応するセルの位置に移動させることによって、そのイベントを選択することができるようになっている。すなわち、イベント表示部３２では、ユーザが右カーソルキー２８を押下すればカーソル３４が１つ右のイベント上に移動し、ユーザが左カーソルキー２７を押下すればカーソル３４が１つ左のイベント上に移動し、ユーザが上カーソルキー２６を押下すればカーソル３４が１つ上のイベント上に移動し、ユーザが下カーソルキー２９を押下すればカーソル３４が１つ下のイベント上に移動するようになっている。ただし、カーソル３４が一番上に達した後、ユーザがリモコン８の上カーソルキー２６を押下すると、ハイライト表示部を移動させることなくサービス表示部３１が下方へ１行分スクロールされる。同様に、カーソル３４が一番下に達した後、ユーザがリモコン８の下カーソルキー２９を押下すると、カーソル３４を移動させることなくサービス表示部３１が上方へ１行分スクロールされる。このように上下にスクロールすることにより、ユーザは、現在視聴中のイベントに対応する放送提示単位に属する全てのサービス（この例ではサービスＩＤ）を知ることができる。なお、サービスＩＤに代えて、サービスのロゴやサービス名などを表示してもよい。また、サービスＩＤと共に放送局名を表示してもよい。
【００９９】
日時表示部３３は、イベント表示部３２に表示された各イベントの放送時間を視覚的に示すために、イベント表示部３２の時間軸に対応する時間帯を示す複数のセルを含んでいる。日時表示部３３では、ＥＰＧ上で選択されているイベントが存在する場合には、選択されているイベントに対応する時間帯のセルがハイライト表示され、ＥＰＧ上で選択されているイベントが存在せず、視聴中のイベントが存在する場合には、視聴中のイベントに対応する時間帯のセルがハイライト表示される。日時表示部３３は、イベント表示部３２の上に配置されている。
【０１００】
なお、ＥＰＧ画面３０の他の部分には、表示中の放送提示単位（図３の例では「ＢＳ」（ＢＳデジタル放送）、図４の例では「地上Ｄ」（地上デジタルテレビジョン放送））および現在日時（この例では「１／１３  ＡＭ１０：４４」）が表示される。
【０１０１】
ユーザは、視聴したいイベントを視聴したり、イベントを予約したりするのに、このＥＰＧ画面３０を使うことができる。すなわち、図３および図４に示すＥＰＧ画面３０が表示された後、ユーザがカーソルキー２６〜２９を用いてカーソル３４を所望のイベントのセル上に移動させてそのイベントを選択し、決定キー２５を押すと、選択したイベントの視聴または予約を行うことができる。デジタル放送テレビ１００は、放送中のイベントが選択されたときには選択されたイベントを選局し、未放送のイベントが選択されたときには、予約選択画面に移行する。この予約選択画面は、視聴予約を行うか、録画予約を行うか、予約しないかを選択するものである。この選択をユーザが行うと、デジタル放送テレビ１００は、その選択に従った予約処理または予約キャンセル処理を行う。
【０１０２】
また、ＥＰＧ画面３０は、ユーザがリモコン８の終了キーを押せば、消えるようになっている。すなわち、ユーザがリモコン８の終了キーを押せば、表示パネル７は、選局中のイベントの映像を表示している状態（通常の視聴状態）に戻るようになっている。
【０１０３】
次に、ある放送提示単位のイベントの映像にその放送提示単位のＥＰＧを重畳表示させた状態で、他の放送提示単位のＥＰＧを表示させる処理の流れについて、図３、図４、図５〜図７のフローチャート、および図８、図９に基づいて説明する。図６は、他の放送提示単位のＥＰＧを表示する処理の流れを示すフローチャートである。図７は、図６の処理により他の放送提示単位のＥＰＧが表示され、カーソル３４がサービス表示部３１内に存在する状態で、リモコン８の右カーソルキー２８が押された時の処理の流れを示すフローチャートである。
【０１０４】
ここでは、第１の放送提示単位としての地上デジタルテレビジョン放送のイベントの映像に地上デジタルテレビジョン放送のＥＰＧを重畳表示させた状態で、第２の放送提示単位としてのＢＳデジタル放送のＥＰＧを表示させる処理の流れについて説明する。ここでは説明しないが、第１の放送提示単位および第２の放送提示単位が他の組み合わせであっても、処理の流れは同様である。
【０１０５】
また、ここでは、予め、ＢＳデジタル放送の全サービスの番組配列情報（全局ＳＩ）が受信され、番組配列情報記憶部５に記憶されているものとする。また、予め地上デジタルテレビジョン放送のチャンネルスキャンが行われ、視聴地域の地上デジタルテレビジョン放送の全サービスの番組配列情報（各局ＳＩ）が受信され、番組配列情報記憶部５に記憶されているものとする。
【０１０６】
さらに、図４に示すように、番組配列情報記憶部５に記憶された地上デジタルテレビジョン放送の番組配列情報に基づいて地上デジタルテレビジョン放送のＥＰＧが地上デジタルテレビジョン放送のイベント映像３５（受信しているコンテンツデータに応じた映像）に重畳表示され、地上デジタルテレビジョン放送のイベントの音声（受信しているコンテンツデータに応じた音声）がスピーカ６から出力されているものとする。
【０１０７】
次に、地上デジタルテレビジョン放送のイベント映像３５に地上デジタルテレビジョン放送のＥＰＧが重畳表示された状態で、現在表示中のＥＰＧの放送提示単位と異なる放送提示単位のＥＰＧを表示させるユーザ指示、すなわちユーザによるリモコン８のＢＳデジタル放送キー２３の押下があると、デジタル放送テレビ１００は、表示するＥＰＧを地上デジタルテレビジョン放送のＥＰＧからＢＳデジタル放送のＥＰＧに切り替える処理（ＥＰＧ切り替え処理）を実行する（Ｓ３・Ｓ４）。
【０１０８】
すなわち、まず、ＥＰＧ作成部１０が、複数の放送提示単位の何れかへの切り替えキー、すなわち３つの放送切換キー２１（２２〜２４）の何れかが押下されるまで待ち（Ｓ１のＮＯ）、３つの放送切換キー２１（２２〜２４）の何れかが押下されると（Ｓ１のＹＥＳ）、押下された放送切換キー２１に対応する放送提示単位が、現在表示しているＥＰＧの放送提示単位と異なるかを判定する（Ｓ２）。
【０１０９】
この場合、押下された放送切換キー２１（ＢＳデジタル放送キー２３）に対応する放送提示単位（ＢＳデジタル放送）が、現在表示しているＥＰＧの放送提示単位（地上デジタルテレビジョン放送）と異なるので、Ｓ３・Ｓ４のＢＳデジタル放送のＥＰＧの表示処理に移行する。なお、押下された放送切換キー２１に対応する放送提示単位が、現在表示しているＥＰＧの放送提示単位と同一である場合には、処理を終了する。
【０１１０】
Ｓ３・Ｓ４のＥＰＧ切り替え処理では、まず、ＥＰＧ作成部１０が、押下された放送切換キー２１（ＢＳデジタル放送キー２３）に対応する放送提示単位（ＢＳデジタル放送）に関する過去の番組配列情報（一番最近にＢＳデジタル放送を受信した時に取得された番組配列情報）を番組配列情報記憶部５から取得する（Ｓ３）。なお、このとき取得する情報は、ＥＩＴのみであってもよい。
【０１１１】
次に、ＥＰＧ作成部１０は、番組配列情報記憶部５から取得したＢＳデジタル放送の番組配列情報に含まれるＥＩＴに基づいて、ＢＳデジタル放送に関するサービス表示部３１およびイベント表示部３２を含むＥＰＧ画面３０を作成し、表示パネル７に表示させる（Ｓ４）。
【０１１２】
すなわち、ＥＰＧ作成部１０は、現在表示中のＥＰＧ画面３０（図４に示す地上デジタルテレビジョン放送のＥＰＧ画面３０）に代えて、押下された放送切換キー２１（ＢＳデジタル放送キー２３）に対応するＥＰＧ画面３０、すなわちＢＳデジタル放送のＥＰＧ画面の画像信号を作成し、画像合成部１２に送る。そして、画像合成部１２は、ＥＰＧ作成部１０によって作成されたＢＳデジタル放送のＥＰＧ画面３０の画像信号を、地上デジタルテレビジョン放送のイベント映像３５の映像信号と合成することで、ＢＳデジタル放送のＥＰＧ画面３０を地上デジタルテレビジョン放送のイベント映像３５に重畳表示させる。
【０１１３】
また、ＥＰＧ作成部１０は、カーソル３４をＥＰＧ画面３０のサービス表示部３１に表示させる（Ｓ４）。
【０１１４】
以上のようにして、図８に示すように、カーソル３４がサービス表示部３１に配置されたＢＳデジタル放送のＥＰＧ画面３０が、地上デジタルテレビジョン放送のイベント映像３５に重畳されて表示パネル７に表示される。
【０１１５】
Ｓ３・Ｓ４のＥＰＧ切り替え処理では、ＥＰＧ作成部１０は、デジタル復調部２の選局制御を選局制御部１５に行わせることなく、デジタル復調部２による地上デジタルテレビジョン放送に属するサービス（視聴中のイベントを放送しているサービス）の放送信号の受信を継続させると共に、表示パネル７によるイベントの映像の出力、およびスピーカ６によるイベントの音声の出力を継続させる。したがって、映像および音声がそのまま流れている。
【０１１６】
それゆえ、デジタル放送テレビ１００では、地上デジタルテレビジョン放送のイベントの映像を表示したまま、放送イベントの放送提示単位とは異なる放送提示単位に関するＥＰＧを表示することができる。よって、デジタル放送テレビ１００は、現在視聴している地上デジタルテレビジョン放送のイベントの映像および音声を消すことなく、ＢＳデジタル放送のＥＰＧを重畳表示させることができる。現在視聴している地上デジタルテレビジョン放送のイベントの映像および音声が消えてしまうことがないので、ユーザは、現在視聴している地上デジタルテレビジョン放送のイベントを視聴したまま、ＢＳデジタル放送のＥＰＧを閲覧することができる。
【０１１７】
このときに表示されるＢＳデジタル放送のＥＰＧを閲覧することで、ユーザは、種々の有益な情報を得ることができる。
【０１１８】
まず、ＥＰＧ画面３０のイベント表示部３２の全てのイベントセルに対応するイベントのＥＩＴを全て取得済みであれば、この状態で、すでにＢＳデジタル放送のＥＰＧ画面３０のイベント表示部３２の全てのイベントセルにイベント情報が表示される。したがって、ユーザは、ＢＳデジタル放送のＥＰＧ画面３０のイベント表示部３２から、ＢＳデジタル放送で放送される全イベントの情報を得ることができる。
【０１１９】
一方、ＥＰＧ画面３０のイベント表示部３２のイベントセルに対応するイベントのうち、一部のイベントのＥＩＴを未取得である場合には、図８に示すように、そのＥＩＴ未取得のイベントに対応するイベントセルのイベント情報が欠落したＥＰＧ画面３０が表示される。図８に示すＥＰＧ画面３０を表示した状態で放置しておいても、欠落したイベントセルは埋められない。しかしながら、その場合でも、ユーザは、図８に示すＥＰＧから、ＢＳデジタル放送で放送されるイベントの一部の情報を得ることができる。
【０１２０】
また、イベント表示部３２にイベント情報が表示されない場合であっても、ユーザは、サービス表示部３１を、必要に応じて上下にスクロールしながら閲覧することにより、どんなサービスがあるかを確認できる（視聴可能なサービスのチャンネル番号（サービスＩＤ）を確認できる）。
【０１２１】
なお、上記Ｓ４のステップでは、例えば図６のフローチャートに示すルーチンが呼び出される。
【０１２２】
このルーチンの呼び出し時には、予め決められたルールに基づいてサービスＩＤのサービスを指定する。この例では、１０３ｃｈのサービスを指定する。呼び出し時にサービスを指定するルールは、「サービスＩＤに１０３があれば、サービスＩＤが１０３のサービスを指定し、１０３ｃｈが無ければ、最も番号の若いサービスＩＤを持つサービスを指定する」というように、予め決めておく。
【０１２３】
次に、ＥＰＧ作成部１０が、本ルーチンの呼び出し時に指定されたサービスをサービスＸとして記憶する（Ｓ１１）。
【０１２４】
次に、ＥＰＧ作成部１０が、番組配列情報記憶部５に記憶された番組配列情報内のＴＯＴ、あるいは内部時計から、現在の日時を取得する（Ｓ１２）。そして、ＥＰＧ作成部１０が、取得した日時に基づいて日時表示部３３を描画する（Ｓ１３）。すなわち、ＥＰＧ作成部１０が、日時表示部３３の画像を作成して表示パネル７に表示させる。
【０１２５】
次に、ＥＰＧ作成部１０が、番組配列情報記憶部５に記憶された番組配列情報内のＳＤＴに基づいて、サービス表示部３１を描画する（Ｓ１４）。すなわち、ＥＰＧ作成部１０が、サービス表示部３１の画像を作成して表示パネル７に表示させる。
【０１２６】
次に、ＥＰＧ作成部１０が、番組配列情報記憶部５に記憶された番組配列情報内のＥＩＴに基づいて、イベント表示部３２を描画する（Ｓ１５）。すなわち、ＥＰＧ作成部１０が、イベント表示部３２の画像を作成して表示パネル７に表示させる。
【０１２７】
次に、ＥＰＧ作成部１０が、サービス表示部３１内のサービスＸ上にカーソルを表示させる（Ｓ１６）。
【０１２８】
Ｓ３・Ｓ４のＥＰＧ切り替え処理の後、イベント表示部３２へカーソル３４を移動させる指示があると（Ｓ５）、すなわちユーザがリモコン８の右カーソルキー２８を押下すると、Ｓ６〜Ｓ９のＥＰＧ更新処理に移行する。
【０１２９】
Ｓ６〜Ｓ９のＥＰＧ更新処理では、まず、ＥＰＧ作成部１０が、表示制御部１３および音声制御部１１に対して、受信コンテンツデータに応じた映像信号および音声信号を表示パネル７およびスピーカ６へ送ることを停止させる指示を送り、この指示にしたがって、表示制御部１３および音声制御部１１が、受信コンテンツデータに応じた映像信号および音声信号を、ＡＶデコーダ４から表示パネル７およびスピーカ６へ送ることを停止し、その結果として、受信コンテンツデータに応じた、視聴中のイベント映像３５および音声の出力を停止（ミュート）する（Ｓ６）。
【０１３０】
また、ＥＰＧ作成部１０が、カーソル３４をサービス表示部３１からイベント表示部３２に移動させる（Ｓ７）。
【０１３１】
その結果、図９に示すように、カーソル３４がサービス表示部３１からイベント表示部３２に移動すると共に、視聴中のイベント映像３５が消去された状態となる。
【０１３２】
さらに、デジタル放送テレビ１００は、押されたキーに対応する放送提示単位の１つのサービスを選局する（Ｓ８）。この場合、デジタル放送テレビ１００は、ＢＳデジタル放送の１つのサービスを選局する。すなわち、ＥＰＧ作成部１０が、選局制御部１５に対してＢＳデジタル放送の１つのサービスを選局させる指示を送り、この指示にしたがって、選局制御部１５が、ＢＳデジタル放送の１つのサービスを選局するようにデジタル復調部２を制御する。その結果、ＢＳデジタル放送の全サービスの最新の番組配列情報を含む放送信号がデジタル復調部２で受信され、番組配列情報記憶部５に記憶される。したがって、番組配列情報記憶部５に記憶されたＢＳデジタル放送の全サービスの番組配列情報が最新のものに更新される。そして、ＥＰＧ作成部１０は、番組配列情報記憶部５からＢＳデジタル放送に関する全サービスの最新の番組配列情報を取得し（Ｓ８）、表示パネル７に表示されているＢＳデジタル放送のＥＰＧの表示内容を、取得した番組配列情報記憶部５内のＢＳデジタル放送に関する番組配列情報に合わせて更新する（Ｓ９）。
【０１３３】
この例では、ＢＳデジタル放送の１サービスを選局し、ＢＳデジタル放送信号を受信して最新のＥＩＴを取得し、ＥＩＴを取得するにしたがって、ＥＰＧの内容を更新する。したがって、リモコンのＢＳデジタル放送キー２３を押下した後、ＢＳデジタル放送の全サービスで所定期間（テレビ放送の場合には１週間）内に放送される全てのイベントに関するＥＩＴを取得し、ＥＩＴを取得するにしたがって、表示パネル７に表示されているＢＳデジタル放送のＥＰＧの内容を更新する。したがって、図９に示す一部のイベント情報が欠落したＢＳデジタル放送のＥＰＧ画面３０を表示した状態で放置しておくと、欠落したイベント情報が埋められた図３に示すＢＳデジタル放送のＥＰＧ画面３０が表示される。
【０１３４】
以上のようにして、ユーザは、イベント表示部３２へカーソル３４を移動させる指示を入力する（リモコン８の右カーソルキー２８を操作する）だけで、図３に示すＥＰＧ画面を閲覧し、ＢＳデジタル放送の全てのイベントに関する最新の情報を得ることができる。      
【０１３５】
また、「サービス表示部からイベント表示部にカーソルを移動させる」という分かり易い操作で、ＥＩＴ未取得のために表示されていなかったイベント情報を他の放送提示単位の電子番組ガイドに追加表示できるので、使い勝手がよい。すなわち、ユーザは、一般に、他の放送提示単位の電子番組ガイドにイベント情報の抜けがあったときに、「注目しているイベント情報が抜けている部分へカーソルを移動させれば、何らかの変化が起こるだろう」と直感するであろう。そのため、ユーザが、そのような直感に従ってイベント表示部へカーソルを移動させる操作（右カーソルキー２８の操作）を行えば、抜けている部分のイベント情報が追加される。したがって、ユーザは、取扱説明書などを見なくとも、抜けている部分のイベント情報を追加させるための操作を直感で行うことができる。
【０１３６】
なお、上記Ｓ７・Ｓ８のステップでは、例えば図７のフローチャートに示すルーチンが呼び出される。
【０１３７】
まず、ＥＰＧ作成部１０が、サービス表示部３１において選択されているサービス、すなわちサービス表示部３１におけるカーソル３４が存在する位置のサービスをサービスＸとして記憶する（Ｓ２１）。
【０１３８】
次に、ＥＰＧ作成部１０が、番組配列情報記憶部５に記憶された番組配列情報内のＴＯＴ、あるいは内部時計から、現在の日時を取得する（Ｓ２２）。
【０１３９】
次に、ＥＰＧ作成部１０が、日時表示部３３内の現在日時を含む日時単位をハイライト表示させる（Ｓ２３）。
【０１４０】
次に、ＥＰＧ作成部１０が、サービス表示部３１内のサービスＸ上に存在するカーソル３４を消去する（Ｓ２４）。
【０１４１】
次に、ＥＰＧ作成部１０が、サービス表示部３１内のサービスＸをハイライト表示させる（Ｓ２５）。
【０１４２】
次に、サービスＸで現在日時に放送中であるイベントがイベント表示部３２に表示されていれば、カーソル３４を該イベント上に表示させる（Ｓ２６）。一方、サービスＸで現在日時に放送中であるイベントがイベント表示部３２に表示されていなければ、カーソル３４を該イベント上に表示させない（Ｓ２６）。
【０１４３】
次に、ＢＳデジタル放送のサービスＸを選局する（Ｓ２７）。すなわち、ＥＰＧ作成部１０が、選局制御部１５に対してＢＳデジタル放送のサービスＸを選局させる指示を送り、この指示にしたがって、選局制御部１５が、ＢＳデジタル放送のサービスＸを選局するようにデジタル復調部２を制御する。
【０１４４】
ところで、ステップＳ８では、押されたキーに対応する放送提示単位の１つのサービスを選局するようにしていたが、さらに別の例として、１つのサービスを選局した後、前記放送提示単位が複数のネットワークから構成される場合（例えば、「ＣＳ」や「地上Ｄ」の場合）、所定の時間が経過した後前記放送提示単位に属する他のネットワークのサービスを順に選局してゆき、前記放送提示単位の全てのネットワークのサービスを選局するまで、所定の時間の経過を待ち選局する動作を繰り返しても良い。例えば、前記放送提示単位が「ＣＳ」であり、はじめに選局する１つのサービスがＣＳ２ネットワークに属する場合は、所定の時間の経過後、ＣＳ１ネットワークに属するサービスを選局するように動作させてもよい。このときＣＳ１に属するサービスの決定方法は「００１があれば００１、無ければ一番若いサービスＩＤ」のように予め決めておく。他のネットワークについても同様である。同じように例えば、前記放送提示単位が「地上Ｄ」であり、「地上Ｄ」が地上１〜４の４つのネットワークから構成され、はじめに選局する１つのサービスが地上３ネットワークに属する場合、所定の時間の経過待ち→地上４ネットワークに属するサービスの選局→所定の時間の経過待ち→地上１ネットワークに属するサービスの選局→所定の時間の経過待ち→地上２ネットワークに属するサービスの選局、のように動作させても良い。
【０１４５】
また、図５のフローチャートでは、ステップＳ９は、ステップＳ８の後に実行されるようになっているが、これ以外にも、ＥＩＴを取得する毎にステップＳ９を実行しても良い。
【０１４６】
以上のように、本実施形態に係るデジタル放送テレビ１００では、ある放送提示単位のＥＰＧをイベントの映像に重畳表示している状態で、他の放送提示単位のＥＰＧの表示を開始させる指示をユーザが入力すると、サービス表示部３１にまずカーソル３４を配置するようになっている。また、このとき、本実施形態に係るデジタル放送テレビ１００は、ユーザが指示を入力した時点に視聴していたイベントの映像および音声はそのまま出力を継続し、このイベントの映像の上に他の放送提示単位のＥＰＧを重畳表示するようになっている。
【０１４７】
これにより、ユーザは、ある放送提示単位に属するサービスのイベントを視聴しながら、そのイベントの属する放送提示単位とは異なる他の放送提示単位のＥＰＧを閲覧することができるので、使い勝手が良くなる。すなわち、ユーザは、他の放送提示単位のＥＰＧを閲覧している時にも、イベントの視聴を継続することができる（ただし、サービス表示部からイベント表示部にカーソルを移動する前まで）。
【０１４８】
このときに表示されるＥＰＧ上では、既にＥＩＴを取得済みのイベント（番組配列情報記憶部にＥＩＴが記憶されているイベント）に関する情報が表示される。したがって、ＥＩＴ未取得のイベントがある場合、ＥＩＴ未取得のイベントに関する情報はＥＰＧのイベント表示部に表示されない。しかしながら、その場合でも、ＥＰＧのイベント表示部に一部のイベントの情報が表示されるのであれば、ユーザが、ある放送提示単位に属するサービスのイベントを視聴しながら、他の放送提示単位のイベント情報の一部を閲覧できるので、ユーザに有益である。また、もしＥＰＧのイベント表示部に全くイベント情報が表示されない場合であっても、ＥＰＧのサービス表示部にサービス情報が表示される。これにより、ユーザが、ある放送提示単位に属するサービスのイベントを視聴しながら他の放送提示単位に属する視聴可能なサービスのチャンネル番号（サービスＩＤ）を確認することができる。例えば、イベントを視聴しながら、他の放送提示単位に１０１、１０２、１０３、１４１、・・・などのチャンネル番号（サービスＩＤ）を持つ視聴可能なサービスが存在することを確認することができる。
【０１４９】
視聴可能なサービスの数が少ない場合には、ＥＰＧのサービス表示部に、他の放送提示単位に属する視聴可能なサービスの全てが表示される。したがって、ある放送提示単位に属するサービスのイベントを視聴しながら、他の放送提示単位に属する視聴可能なサービスの全てをユーザが確認できる。
【０１５０】
一方、視聴可能なサービスの数が多く、ＥＰＧのサービス表示部に一部のサービスしか表示されない場合もある。本実施形態に係るデジタル放送テレビ１００では、ユーザが上下カーソルキーを用いてカーソルを上下に移動させれば、画面が上下にスクロールして表示されていないサービスを表示させるようになっている。そのため、この場合においても、ユーザは、上下カーソルキーを用いてカーソルを上下に移動させることで、ある放送提示単位に属するサービスのイベントを視聴しながら、他の放送提示単位に属する視聴可能なサービスの全てをユーザが確認できる。
【０１５１】
また、本実施形態に係るデジタル放送テレビ１００では、イベントの映像および音声の出力を継続しながら、このイベントの映像の上に他の放送提示単位のＥＰＧを重畳表示しているときに、ユーザがサービス表示部からイベント表示部にカーソルを移動させる操作を行うと、他の放送提示単位に属する少なくとも１つのサービスを選局して、ＥＩＴなどの番組配列情報を取得するようになっている。また、デジタル放送テレビ１００は、この選局により、他の放送提示単位に属する少なくとも１つのサービスで放送されるイベントに関する情報（具体的には、ＥＩＴなどのＳＩに対応する情報）を取得し、ＥＰＧの内容を更新するようになっている。これにより、ＥＩＴ未取得のイベントがあるために表示されているＥＰＧにイベント情報の抜けが存在する場合には、ユーザが、サービス表示部からイベント表示部にカーソルを移動させる操作を行うことで、抜けている部分のイベント情報（ＥＩＴ未取得のイベントに関する情報）の表示を追加することができる。その結果、ユーザは、抜けている部分が埋められたＥＰＧを閲覧することができる。
【０１５２】
次に、本発明と従来技術との比較のために、前記従来の液晶テレビ「ＡＱＵＯＳ  Ｇシリーズ」（以下、「従来機」と称する）におけるＥＰＧの表示処理について図１０および図１１に基づいて説明する。ここでも、記憶部が、表１のように、各放送提示単位毎にこれに含まれる複数のサービスに関する番組配列情報（この例では、ネットワークＩＤ、サービスＩＤ、ＴＳ  ＩＤ、および周波数）のリストを持っているものとする。また、ここでも、利用可能な地上デジタルテレビジョン放送のサービスが、３桁番号（地上デジタルテレビジョン放送においてサービスＩＤの代わりにユーザーに提示される番号）が０１１，０２１，０４１，０６１の４つのサービスであるものとする。
【０１５３】
また、ここでは、地上デジタルテレビジョン放送のイベントの視聴中に地上デジタルテレビジョン放送のＥＰＧを表示した後、地上デジタル放送のＥＰＧからＢＳデジタル放送のＥＰＧへ切り替える場合について説明する。
【０１５４】
まず、ユーザが、地上デジタルテレビジョン放送のイベントの視聴中にリモコンの番組表キーを押下すると、図４と同様に、視聴中の映像に地上デジタルのＥＰＧが重畳されて表示される。
【０１５５】
次に、ユーザがリモコンのＢＳデジタル放送キーを押下すると、表示するＥＰＧを地上デジタルテレビジョン放送のＥＰＧからＢＳデジタル放送のＥＰＧに切り替えると共に、受信した映像信号に対応する映像信号の出力を停止し、音声をミュートする（Ｓ３３・Ｓ３４）。
【０１５６】
すなわち、従来機は、何れかの放送提示単位のＥＰＧへの切り替えキー（この例ではＢＳデジタル放送キー）が押されるのを待ち（Ｓ３１）、何れかの放送提示単位のＥＰＧへの切り替えキーが押されると、その押されたキーに対応する放送提示単位（この例ではＢＳデジタル放送）が、現在表示しているＥＰＧの放送提示単位（この例では地上デジタルテレビジョン放送）と異なるか否かを判定する（Ｓ３２）。異なる場合には、視聴しているイベントの映像および音声を消し（Ｓ３３）、現在表示しているＥＰＧに代えて、押されたキーに対応する放送提示単位（この例ではＢＳデジタル放送）のＥＰＧを表示する（Ｓ３４）。
【０１５７】
従来機は、Ｓ３４では、予め記憶されたＥＩＴに基づいてＢＳデジタル放送のＥＰＧを表示する。このとき、ＥＩＴ未取得のイベントが存在する場合には、図９に示すように、そのイベントに対応する部分の情報が欠落したＥＰＧが表示される。
【０１５８】
従来機は、次いで、押されたキーに対応する放送提示単位の１つのサービスを選局し、押されたキーに対応する放送提示単位のうち、選局された１つのサービスと同じネットワークのサービスに関する最新の番組配列情報を取得する（Ｓ３５）。そして、ＥＰＧの表示内容を、取得した最新の番組配列情報に合わせて更新する。
【０１５９】
この例では、ＢＳデジタル放送の１サービスを選局し、ＢＳデジタル放送信号を受信して最新のＥＩＴを取得し、ＥＩＴを取得するにしたがって、ＥＰＧの内容を更新する。したがって、従来機は、リモコンのＢＳデジタル放送キーを押下した後、ＢＳデジタル放送の全サービスで所定期間（テレビ放送の場合には１週間）内に放送される全てのイベントに関するＥＩＴを取得し、ＥＩＴを取得するにしたがって、ＥＰＧの内容を更新する。したがって、図９に示すＥＰＧを表示した状態で放置しておくと、図９に示すＥＰＧの欠落している部分が埋められたＥＰＧ、例えば、図３に示すＥＰＧが表示される。
【０１６０】
ＢＳデジタル放送以外の放送提示単位のサービスを視聴中に、ＢＳデジタル放送（他の放送提示単位）のＥＰＧを表示するＳ３４・Ｓ３５のステップでは、例えば図１１のフローチャートに示すルーチンが呼び出される。
【０１６１】
このルーチンの呼び出し時には、予め決められたルールに基づいてサービスＩＤのサービスを指定する。この例では、１０３ｃｈのサービスを指定する。呼び出し時にサービスを指定するルールは、「サービスＩＤに１０３があれば、サービスＩＤが１０３のサービスを指定し、１０３ｃｈが無ければ、最も番号の若いサービスＩＤを持つサービスを指定する」というように、予め決めておく。
【０１６２】
次に、本ルーチンの呼び出し時に指定されたサービスをサービスＸとする（Ｓ４１）。
【０１６３】
次に、現在の日時を取得し（Ｓ４２）、取得した日時に基づいて日時表示部を描画する（Ｓ４３）。
【０１６４】
次に、サービス表示部を描画する（Ｓ４４）と共に、イベント表示部を描画する（Ｓ４５）。
【０１６５】
次に、日時表示部内の現在日時を含む日時単位をハイライト表示する（Ｓ４６）。
【０１６６】
次に、サービス表示部内のサービスＸをハイライト表示する（Ｓ４７）。
【０１６７】
次に、サービスＸに属するイベントの内、現在日時に放送中であるイベントがイベント表示部に表示されていれば、カーソルを該イベント上に表示する。表示されていなければ、カーソルは表示しない（Ｓ４８）。
【０１６８】
次に、サービスＸを選局する（Ｓ４９）。
【０１６９】
なお、ＢＳデジタル放送ではなく、ＣＳデジタル放送などの他の放送提示単位に関するＥＰを表示する場合にも、図１１のフローチャートに示すルーチンが呼び出される。呼び出し時のサービスは、例えばＣＳデジタル放送の場合には「１００があれば１００、無ければ一番若いサービスＩＤ」のように、例えば地上デジタル放送の場合には「０１１があれば０１１、無ければ一番若いサービスＩＤ」のように、予め決めておく。
【０１７０】
現在日時が１／１３  ＡＭ１０：４４であり、ＢＳ以外を視聴中に、ＢＳのＥＰＧを図１１のフローで表示させた場合、未取得のＥＩＴがない場合、図３のように表示される。未取得のＥＩＴがある場合、一例として図９のようになる。
【０１７１】
サービス表示部３１には、指定されたサービスが一番上に表示され、以降、サービスリストの順番に表示してゆく。サービスリストの一番最後のサービス（２０１）の次は一番最初のサービス（１０１）から表示する。サービスリストは、サービスＩＤ順にソートされている。なお、サービス表示部３１の表示処理は、デジタル放送テレビ１００でも同様である。
【０１７２】
以上のように、従来機では、ＢＳデジタル放送のＥＰＧを表示した場合には、必ず地上デジタル放送の映像および音声が途切れるようになっている。したがって、例えば、ユーザが、地上デジタル放送のイベントを視聴中に、ＢＳデジタル放送のＥＰＧに表示されているチャンネル番号（サービスＩＤ）だけを確認したい場合であっても、視聴中のイベントの映像および音声が途切れてしまう。これに対し、上記デジタル放送テレビ１００では、ユーザが右カーソルキー２８を押すまでは、視聴中のイベントの映像および音声が表示される。
【０１７３】
なお、上述したデジタル放送テレビ１００では、サービス表示部３１からイベント表示部３２へカーソルを移動させるためのカーソルキーが、右カーソルキーであったが、これは、イベント表示部３２がサービス表示部３１の右にあるためである。したがって、サービス表示部３１に対するイベント表示部３２の位置関係に応じて、サービス表示部３１からイベント表示部３２へカーソルを移動させるためのカーソルキーは適宜変更可能である。また、サービス表示部３１からイベント表示部３２へカーソルを移動させるための操作は、リモコン８の十字キーを用いた操作に限定されるものではなく、デジタル放送テレビ１００本体の十字キーを用いた操作や、ポインティングデバイスなどの他の入力機器を用いた操作であってもよい。
【０１７４】
また、上記の説明では、本発明の放送受信装置が、テレビジョン放送信号を受信し、受信イベントの音声を出力しながらＥＰＧを受信イベントの映像に重畳させて表示する場合について説明したが、本発明は、ラジオ放送信号を受信し、受信イベントの音声を出力しながらＥＰＧを表示させるものや、文字放送信号を受信し、受信イベントの文字を出力しながらＥＰＧを表示させるもの、テレビジョン放送信号を受信し、ＥＰＧを受信イベントの映像と並べて表示するものなどにも適用可能である。
【０１７５】
また、上記の説明では、本発明の放送受信装置が、ＢＳデジタル放送、ＣＳデジタル放送、地上波デジタルテレビジョン放送の３つの放送提示単位に関するＥＰＧを切り替えて表示するものであったが、切り替えられる複数の放送提示単位は、特に限定されるものではなく、例えば、ＢＳデジタル放送、ＣＳ１ネットワーク、ＣＳ２ネットワーク、地上波デジタルテレビジョン放送の４つの放送提示単位であってもよい。
【０１７６】
また、上述の説明では、本発明の放送受信装置が、デジタル放送波を受信し、受信したデジタル放送波に含まれる番組配列情報に基づいてデジタル放送のＥＰＧを表示するデジタル放送受信機能付きテレビである場合について説明したが、これに限るものではない。本発明の放送受信装置は、ケーブルテレビ回線や光ファイバー回線を通してデジタル放送信号を受信し、受信したデジタル放送信号に含まれるＥＰＧデータに基づいてデジタル放送のＥＰＧを表示するテレビなどにも適用可能である。
【０１７７】
また、上述の説明では、ＥＰＧが、通常のＥＰＧであったが、これに限定されるものではなく、裏番組表であってもよい。裏番組表とは、現在表示しているイベント以外の現時点で放送されているイベント（いわゆる裏番組）の情報を示すＥＰＧである。
【０１７８】
最後に、デジタル放送テレビ１００における表示および音声出力を制御する制御部３は、ハードウェアロジックによって構成してもよいし、次のようにＣＰＵを用いてソフトウェアによって実現してもよい。
【０１７９】
すなわち、デジタル放送テレビ１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデジタル放送テレビ１００の制御プログラムのプログラムコード（実行形式プログラム、中間コードプログラム、ソースプログラム）をコンピュータで読み取り可能に記録した記録媒体を、上記デジタル放送テレビ１００に供給し、そのコンピュータ（またはＣＰＵやＭＰＵ）が記録媒体に記録されているプログラムコードを読み出し実行することによっても、達成可能である。
【０１８０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８１】
また、デジタル放送テレビ１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８２】
本発明は、複数のサービスで放送されるイベントに関するイベント情報およびコンテンツデータを含む放送信号（特にデジタル放送信号）を受信し、受信したコンテンツデータに応じた映像および／または音声を出力しながら、受信したイベント情報に基づき放送提示単位別の複数の電子番組ガイドを表示することが可能な放送受信装置、例えば、ＣＳデジタル放送，ＢＳデジタル放送、地上波デジタルテレビジョン放送などの複数種類のデジタル放送を受信可能なテレビに利用できる。また、本発明は、そのような放送受信装置における電子番組ガイドの表示方法、プログラム、記録媒体に利用できる。
【図面の簡単な説明】
【０１８３】
【図１】本発明の実施の一形態に係る放送受信装置としてのデジタル放送テレビの構成を示すブロック図である。
【図２】上記デジタル放送テレビにユーザ指示を入力するためのリモートコントローラの構成を示す平面図である。
【図３】上記デジタル放送テレビにおいて、ＢＳデジタル放送のイベントの映像に対してＢＳデジタル放送のＥＰＧを重畳表示させた表示画面（ＥＰＧ画面）の一例を示す図である。
【図４】上記デジタル放送テレビにおいて、地上デジタルテレビジョン放送のイベントの映像に対して地上デジタルテレビジョン放送のＥＰＧを重畳表示させた表示画面の一例を示す図である。
【図５】上記デジタル放送テレビにおいて、地上デジタルテレビジョン放送のイベントの映像に対してＢＳデジタル放送のＥＰＧを重畳表示させる処理の流れを示すフローチャートである。
【図６】図５の処理において呼び出されるルーチンの一例を示すフローチャートである。
【図７】図５の処理において呼び出される他のルーチンの一例を示すフローチャートである。
【図８】上記デジタル放送テレビにおいて、過去に記憶された番組配列情報に基づいて、ＢＳデジタル放送のＥＰＧを、地上デジタルテレビジョン放送のイベントの映像に重畳表示させた表示画面（ＥＰＧ画面）の一例を示す図である。
【図９】上記デジタル放送テレビにおいて、新たに取得した番組配列情報に基づいて、ＢＳデジタル放送のＥＰＧを表示させた表示画面（ＥＰＧ画面）の一例を示す図である。
【図１０】従来の放送受信装置において、地上デジタルテレビジョン放送を視聴中にＢＳデジタル放送のＥＰＧを表示させる処理の流れを示すフローチャートである。
【図１１】図１０の処理において呼び出されるルーチンの一例を示すフローチャートである。
【符号の説明】
【０１８４】
１  アンテナ
２  デジタル復調部（受信部）
３  制御部
４  ＡＶデコーダ
５  番組配列情報記憶部
６  スピーカ（出力部）
７  表示パネル（出力部）
８  リモコン
９  デマルチプレクサ
１０  ＥＰＧ作成部
１１  音声制御部
１２  画像合成部
１３  表示制御部
１４  リモコン受光部
１５  選局制御部
１６  チューナ
２０  番組表キー
２１  放送切換キー
２２  地上デジタルテレビジョン放送キー
２３  ＢＳデジタル放送キー
２４  ＣＳデジタル放送キー
２５  決定キー
２６  上カーソルキー
２７  左カーソルキー
２８  右カーソルキー
２９  下カーソルキー
３０  ＥＰＧ画面
３１  サービス表示部（サービスの一覧）
３２  イベント表示部（イベントの一覧）
３３  日時表示部
３４  イベント映像
３５  カーソル
１００  デジタル放送テレビ（放送受信装置）
【図１】
2006238049.tif 000004
【図２】
2006238049.tif 000005
【図３】
2006238049.tif 000006
【図４】
2006238049.tif 000007
【図５】
2006238049.tif 000008
【図６】
2006238049.tif 000009
【図７】
2006238049.tif 000010
【図８】
2006238049.tif 000011
【図９】
2006238049.tif 000012
【図１０】
2006238049.tif 000013
【図１１】
2006238049.tif 000014